(57)【特許請求の範囲】
【請求項１】
ＰＤＰ（プラズマディスプレイパネル）を用いてサブフィールド方式により映像信号のうち上位ビットを使用して階調表示を行うＰＤＰ表示装置において、同映像信号の１フィールド内の前記サブフィールドに対応する信号の有無を検出する空きサブフィールド検出手段と、空きサブフィールドの有無に対応して前記サブフィールドの駆動シーケンスを制御するシーケンス制御手段を設け、空きサブフィールドが有るフィールドで映像信号のＬＳＢ（Least Significant Bit ）に対応するサブフィールドの１／２の重み付けとする１／２ＬＳＢサブフィールドを設け、前記サブフィールド方式による階調表示は、検出された空きサブフィールドに前記１／２ＬＳＢサブフィールドを表示することを特徴としたＰＤＰ表示装置。
【請求項２】
ＰＤＰ（プラズマディスプレイパネル）を用いてサブフィールド方式により映像信号のうち上位ビットを使用して階調表示を行うＰＤＰ表示装置において、同映像信号の１フィールド内の前記サブフィールドに対応する信号の有無を検出する空きサブフィールド検出手段と、空きサブフィールドの有無に対応して前記サブフィールドの駆動シーケンスを制御するシーケンス制御手段を設け、空きサブフィールドが有るフィールドで映像信号のＬＳＢ（Least Significant Bit ）に対応するサブフィールドより小さい重み付けのサブフィールドを設けてなり、前記空きサブフィールドの検出は、表示するディジタル映像信号の各ビットで各々セットし、垂直同期信号でリセットするＦＦ回路とすることを特徴としたＰＤＰ表示装置。
【発明の詳細な説明】
【０００１】
【発明の属する技術分野】
本発明は、サブフィールド法で階調表示を行うＰＤＰ（プラズマディスプレイパネル）で、暗い画面での表示階調を増大させるＰＤＰ表示装置に関する。
【０００２】
【従来の技術】
パルス放電で表示を行うＰＤＰでは、テレビ映像等の階調表示を行うために、１つのフィールドを表示するディジタル映像信号の各ビットに対応するサブフィールドに分割して、その各々に対応するビットの重みに比例する回数のパルス放電を行っている。サブフィールドの数を増やせば表示階調数が上がるが、各サブフィールド毎に表示画素への走査期間があるため、表示輝度が低下する。従って、消費電力を一定とすれば原則として表示階調数と表示輝度はトレードオフの関係に有る。したがって、テレビのように時間によって画面の明るさが変化する映像を十分な輝度で、かつ細かい表示階調で表現することは、省電力との関係も有り困難な課題で、電力を上げずに十分な輝度を取るときは、特に視覚的に目立ち易い暗い画面での階調不足が目立つという問題がある。
【０００３】
【発明が解決しようとする課題】
本発明は上記問題点に鑑みなされたもので、消費電力や最大の表示輝度を変えること無く、視覚的に目立ち易い暗い画面での階調不足を解消する技術を提供することを目的とする。
【０００４】
【課題を解決するための手段】
表示する映像信号の１フィールド内の前記サブフィールドに対応する信号の有無を検出する空きサブフィールド検出手段と、空きサブフィールドの有無に対応して前記サブフィールドの駆動シーケンスを制御するシーケンス制御手段を設けて、空きサブフィールドが有るフィールドで映像信号のＬＳＢ（Least Significant Bit ）に対応するサブフィールドの１／２の重み付けとする１／２ＬＳＢサブフィールドを設け、前記サブフィールド方式による階調表示は、検出された空きサブフィールドに前記１／２ＬＳＢサブフィールドを表示することにより表示階調を増大させるようにする。
【０００５】
【発明の実施の形態】
ＰＤＰ（プラズマディスプレイパネル）を用いてサブフィールド方式により映像信号の階調表示を行うＰＤＰ表示装置において、同映像信号の１フィールド内の前記サブフィールドに対応する信号の有無を検出する空きサブフィールド検出手段と、空きサブフィールドの有無に対応して前記サブフィールドの駆動シーケンスを制御するシーケンス制御手段を設け、空きサブフィールドが有るフィールドで映像信号のＬＳＢに対応するサブフィールドより小さい重み付けのサブフィールドを設けて表示階調を増大させるようにする。
【０００６】
前記サブフィールド方式により階調表示は、ＭＳＢ（Ｍｏｓｔ  Ｓｉｇｎｉｆｉｃａｎｔ  Ｂｉｔ）から順次ＬＳＢに向けて重み付けの大きい順に表示し、前記空きサブフィールドを検出したときは次のサブフィードを繰り上げて表示するようにする。
【０００７】
前記ＬＳＢより小さい重み付けのサブフィールドは、ＬＳＢのサブフィールドの１／２の重み付けとする１／２ＬＳＢサブフィールドとする。
【０００８】
前記サブフィールド方式による階調表示は、検出された空きサブフィールドに前記１／２ＬＳＢサブフィールドを表示するようにする。
【０００９】
前記空きサブフィードの検出は、ＭＳＢに対応するサブフィールドのみで行う。
【００１０】
前記空きサブフィードの検出は、ＭＳＢ及び次に重み付けの大きいビットに対応するサブフィールドのみで行う。
【００１１】
前記空きフィールドの検出は、表示するディジタル映像信号の各ビットで各々セットし、垂直同期信号でリセットするＦＦ回路とする。
【００１２】
【実施例】
図１は、本発明によるＰＤＰ表示装置の１実施例の要部ブロック図である。また、図２は、同表示装置の階調表示のためのサブフィールドのタイミング図である。入力映像信号Ｓ１をＡ／Ｄ変換回路１で例えば８ビットのディジタル映像信号とし、各ビット毎に読み出せるフィールドメモリ２に記憶する。フィールドメモリ２からデータ選択回路４ａで各ビットに対応した各サブフィールドＳＦ７、ＳＦ６、・・の走査期間ＳＦ７ｓ、ＳＦ６ｓ、・・のタイミングで読みだし、走査駆動回路５ａにより走査信号を作成して、ＰＤＰ７のｘ、ｙマトリクス電極のドライバ６ｘ、６ｙによりＡＣ型であるＰＤＰ７のｘ、ｙマトリクス電極の交点の各画素に壁電荷を形成する。次に、点灯パルス数選択回路４ｂにより、予め各ビットの重みに比例した点灯パルス数を記憶したＲＯＭ８から、対応する点灯パルス数のデータを各サブフィールドＳＦ７、ＳＦ６、・・の点灯期間ＳＦ７ｄ、ＳＦ６ｄ、・・のタイミングで読みだし、点灯駆動回路５ｂにより、ｙ電極とｙ電極と平行して走る共通電極６ｃの間に点灯パルス数だけの放電パルスを印加して、各ビットの重みに比例した輝度を発光させる。このようにして、ＰＤＰ７に入力映像信号Ｓ１の階調表示を行う。
【００１３】
本発明では、上記ディジタル映像信号の内、通常は例えば上位６ビットを使用し、ＭＳＢから順次ＬＳＢに向けて重み付けの大きい順に、サブフィールドＳＦ７からＳＦ２までを１フィールド期間内に表示する。このようにすることで、各サブフィールド当たりの期間が長くでき、走査期間は一般にｙ電極の数から決まる一定値なので、点灯期間が長く取れ、表示輝度を上げることができる。ディジタル映像信号の各ビット毎に、同映像信号の各画素毎のデータでセットし、垂直同期信号Ｓ２でリセットするＦＦ回路３で、空きサブフィールドを検出する。空きサブフィールドを検出したときは、データ選択回路４ａ及び点灯パルス数選択回路でそのサブフィールドをスキップして、次のサブフィールドを表示する。このようにして、この例では、サブフィールドＳＦ７からＳＦ２まで間に２つ以上の空きサブフィールドがある場合には、そのフィールドでは、実質的にＳＦ７からＳＦ０まですなわち２５６階調の表示が可能となる。
【００１４】
空きサブフィールドが検出されたときに表示するサブフィールドは、ＬＳＢより小さい重み付けのサブフィールドすなわち上記のような場合には、ＬＳＢのサブフィールドであるＳＦ２の１／２の重み付けとする１／２ＬＳＢサブフィールドであるＳＦ１とすることもできる。
この場合には、検出された空きサブフィールドに１／２ＬＳＢサブフィールドであるＳＦ１を表示するようにすることで、ＭＳＢから順次ＬＳＢに向けて重み付けの大きい順に、サブフィールドＳＦ７からＳＦ２まで並べる必要がなく、任意の順番で点灯できる。
【００１５】
空きサブフィードの検出は、常時表示するビット数の全て、例えば上記の例の６ビット全てで行うこともできるが、ＭＳＢに対応するサブフィールドのみで行うようにしても良い。この場合は空きサブフィードの検出用のＦＦ回路３は、映像信号毎に１ヶでよく、ＲＧＢ３原色に対応して３ヶ有れば間に合うこととなる。また、これに対応して、データ選択回路４ａ及び点灯パルス選択回路４ｂも簡単になる。このようにすると、表示輝度が最大の半分以下のときにＬＳＢ以下のサブフィールドが表示できるようになる。さらに、若干回路規模を大きくして、表示輝度が最大の４分の３以下のときでもＬＳＢ以下のサブフィールドが表示できるようにするためには、空きサブフィードの検出を、ＭＳＢ及び次に重み付けの大きいビットに対応するサブフィールドで行うようにすれば良い。
【００１６】
【発明の効果】
以上説明したように、表示する映像信号の１フィールド内の前記サブフィールドに対応する信号の有無を検出する空きサブフィールド検出手段と、空きサブフィールドの有無に対応して前記サブフィールドの駆動シーケンスを制御するシーケンス制御手段を設けて、空きサブフィールドが有るフィールドで映像信号のＬＳＢに対応するサブフィールドより小さい重み付けのサブフィールドを設けることができるため、暗い画面での表示階調を増大させるようにすることができる。
したがって、通常の画面では高輝度表示ができるとともに、特に視覚的に目立ちやすい暗い画面では細かい階調表現ができ、同一消費電力で高画質表示が可能となる。
【図面の簡単な説明】
【図１】本発明によるＰＤＰ表示装置の１実施例の要部ブロック図である。
【図２】同表示装置の階調表示のためのサブフィールドのタイミング図である。
【符号の説明】
１  Ａ／Ｄ変換回路
２  フィールドメモリ
３  ＦＦ回路
４ａ  データ選択回路
４ｂ  点灯パルス数選択回路
５ａ  走査駆動回路
５ｂ  点灯駆動回路
６ｘ  ｘドライバ
６ｙ  ｙドライバ
６ｃ  共通電極
７  ＰＤＰ
８  ＲＯＭ
Ｓ１  入力映像信号
Ｓ２  垂直同期信号
ＳＦ７、ＳＦ６、・・  サブフィールド
【図１】
0003564951.tif 000002
【図２】
0003564951.tif 000003